【事件の表示】
　特願２００１−２２９９４５「インク容器」拒絶査定不服審判事件〔平成１４年　２月２６日出願公開、特開２００２−　５９５６６〕について、次のとおり審決する。
【結　論】
　本件審判の請求は、成り立たない。
【理　由】
第１　手続の経緯
　本願は、平成１３年７月３０日（パリ条約による優先権主張２０００年７月３１日、米国）の出願であって、平成１５年３月２４日及び平成１８年４月２８日に手続補正がなされ、同年５月２６日付けで拒絶査定がなされ、これに対して、同年８月２８日に拒絶査定不服審判が請求されるとともに、同日付けで手続補正がなされたものである。
　
第２　平成１８年８月２８日付け手続補正についての補正却下の決定
　
〔補正却下の決定の結論〕
　平成１８年８月２８日付け手続補正を却下する。
　
〔理由〕
１．本件補正の内容・目的
（１）補正の内容
　平成１８年８月２８日付け手続補正（以下「本件補正」という。）は、特許請求の範囲についてするもので、
　ア　本件補正前の請求項１に、
「インクをインクジェットプリンタに供給するためのインク容器であって、
　前記インクジェットプリンタにインク容器のパラメータを提供するための電気記憶装置を備え、該電気記憶装置は、
　
前記インク容器の内部構成を区別し、
　前記インク容器のインク容量を特定するインク容量パラメータと
　を含み、
該インク容量パラメータは、前記構成パラメータによって定義される、
とあったものを、
「インクをインクジェットプリンタに供給するためのインク容器であって、
　前記インクジェットプリンタにインク容器のパラメータを提供するための電気記憶装置を備え、該電気記憶装置は、
　
前記インク容器の特定の内部構成に基づいて前記インク容器を区別し、
　前記インク容器のインク容量を特定するインク容量パラメータと
　を含み、
前記構成パラメータの値に応じて前記電気記憶装置のデータフィールドにおける読み出し位置が特定され、前記インク容量パラメータが決定される、
と補正する内容（以下「補正事項１」という。）と、
　
　イ　本件補正前の請求項４に、
「インクジェットプリンタに情報を提供するためのインク容器と併せて用いる電気記憶装置であって、複数のインク容量範囲からあるインク容量範囲を選択するため
のイ
む
とあったものを、
「インクジェットプリンタに情報を提供するためのインク容器と併せて用いる電気記憶装置であって、
　複数のインク容量範囲からあるインク容量範囲を選択するための
１つの
　前記選択したインク容量範囲の充填割合を特定するための充填割合パラメータと
　を含
み、前記インクスケールパラメーラの値に応じて前記電気記憶装置のデータフィールドにおける読み出し位置が特定され、前記充填割合パラメータが決定される、
と補正する内容（以下「補正事項２」という。）とを含むものである。
　
（２）補正の目的
　ア　補正事項１について
　上記補正事項１は、発明を特定するために必要な事項として本件補正前の請求項１に記載されていた「複数のインク容器構成からあるインク容器構成を特定する１つの構成パラメータ」についての「前記インク容器の内部構成を区別し、」を「前記インク容器の特定の内部構成に基づいて前記インク容器を区別し、」と補正してその「内部構成」を「特定の」ものに限定するとともに「区別」する対象が特定の内部構成を備えた「インク容器」であることを限定し、同じく本件補正前の請求項１に記載されていた「該インク容量パラメータは、前記構成パラメータによって定義される」ことについて「前記構成パラメータの値に応じて前記電気記憶装置のデータフィールドにおける読み出し位置が特定され、前記インク容量パラメータが決定される」と補正してその「定義される」との構成を具体化し、減縮するものであるから、平成１８年法律第５５号改正附則第３条第１項によりなお従前の例によるとされる同法による改正前の特許法第１７条の２第４項２号の特許請求の範囲の減縮を目的とするものである。
　なお、補正事項１は拒絶理由通知に係る拒絶の理由１に示す事項についてするものと認められるが、後述するように（２．（１）参照。）、本件補正により明りょうにはなっていないため、明りょうでない記載の釈明を目的とするものとは認められない。
　
　イ　補正事項２について
　上記補正事項２は、発明を特定するために必要な事項として本件補正前の請求項４に記載されていた「インクスケールパラメータ」についての「１つの」と補正してその数を限定し、同じく本件補正前の請求項４に記載されていた「充填割合パラメータ」について「前記インクスケールパラメーラの値に応じて前記電気記憶装置のデータフィールドにおける読み出し位置が特定され」、「決定される」ものであると限定するものであるから、平成１８年法律第５５号改正附則第３条第１項によりなお従前の例によるとされる同法による改正前の特許法第１７条の２第４項２号の特許請求の範囲の減縮を目的とするものである。
　
　そこで、本件補正後の請求項１に係る発明（以下「本願補正発明１」という。）及び本件補正後の請求項４に係る発明（以下「本願補正発明４」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
２．本願補正発明１について
（１）請求項１の記載の明確性について
　本願補正発明１は、上記１．（１）アで本件補正後の請求項１として記載したとおりであるが、次の点で本件補正後の特許請求の範囲の請求項１の記載は明確でない。
　ア　「前記構成パラメータの値に応じて前記電気記憶装置のデータフィールドにおける読み出し位置が特定され、前記インク容量パラメータが決定される」との事項は、次の点で明確でない。
（ア）「前記構成パラメータの値に応じて前記電気記憶装置のデータフィールドにおける読み出し位置が特定され」ることと、決定される「前記インク容量パラメータ」との関係が明確でない。
（イ）「読み出」す主体、「特定」する主体及び「決定」する主体が特定されていないので、その主体が明確でない。
（ウ）本件補正後の請求項１に記載の「前記インク容器のインク容量を特定するインク容量パラメータ」における「インク容量パラメータ」は、「インク容器」が備えている「電気記憶装置」が含んでいるパラメータであるところ、このパラメータであることを「前記」を付して明らかにしている「前記インク容量パラメータ」が「決定される」とは、技術上何を意味するのか明確でない。
　イ　「前記インク容器の特定の内部構成に基づいて前記インク容器を区別し、複数のインク容器構成からあるインク容器構成を特定する１つの構成パラメータ」との事項は、次の点で明確でない。
（ア）「前記インク容器」（２箇所）は、インクジェットプリンタにインク容器のパラメータを提供するための電気記憶装置を備え、インクをインクジェットプリンタに供給するためのインク容器を指していることは明確であるが、その「インク容器」の「特定の内部構成」とはインク容器のどの構成なのか明確でない。
（イ）同じく、「複数」は「２以上」であるから、その「インク容器」の「複数のインク容器構成」とは、少なくともインク容器のどの構成とどの構成を含むものなのかが明確でない。
（ウ）同じく、その「インク容器」の「あるインク容器構成」とはインク容器のどの構成なのか明確でない。
　ウ　したがって、本件補正後の特許請求の範囲の請求項１の記載は明確でないから、本願は特許法第３６条第６項第２号に規定する要件を満たしていない。
　よって、本願補正発明１は、特許出願の際独立して特許を受けることができないものである。
（２）本願補正発明１の進歩性について
　ア　本願明細書の発明の詳細な説明には次の記載がある。
「【００２３】交換式インク容器１２は、１つまたは複数のインクを収容する槽部３４を含む。好ましい実施形態において、三色交換式インク容器１２は、それぞれ異なるカラーのインクを収容する
３つの別個のインク収容槽
単一インク槽３４
…略…
【００２９】図５は、分離して示すインク容器収容ステーション１４の前部の斜視図である。図５に示す収容ステーション１４は、
単色インクを収容するインク容器１２を受ける単色ベイ５６
３つの別個のインクカラーを内部に収容するインク容器を受ける三色ベイ５８
…略…
【００４７】図１３は、電気記憶装置８０にインク容量情報を格納する本発明の技術を示している。インク容器１２の構成パラメータが決定される。構成パラメータは、２つの例として、インク容器が図１０に示すような
単色インク容器１２
三色インク容器１２
インク容器１２には、１つの構成パラメータしかない
…略…
【００５２】動作に当たり、ステップ１０４で表すように印刷システムに電源を投入するか、あるいはステップ１０６で表すように
インク容器１２を新たに取り付けると、コントローラ２９が
インク容器１２のスケールパラメータ、インク容器１２の構成パラメータ、およびインク容器１２内の各インクチャンバについての各充填割合パラメータをコントローラ２９に提供するよう電気記憶装置８０に指示する
この情報をコントローラ２９が解釈して、
インク容器１２内の各チャンバに関連するインク容量を決定
印刷システム１０は、ホストからの印刷コマンドを受け入れる準備ができる
【００５３】図１５は、本発明のインク容器１２と併せて用いるメモリ装置８０の例示的な一実施形態である。メモリ装置８０は、
インク容器１２が印刷システム１０に挿入されるときに、
編成
電気記憶装置８０に格納される情報には、
構成情報およびデータ情報１〜９で表される一連のデータフィールドがある
図１５は、印刷システム１０が、構成フィールドにより特定される構成に応じて、データフィールド１〜９を解釈する２つの異なる方法を示している
構成Ａは三色容器１２を表し、構成Ｂはブラックインク容器１２を表す
【００５４】
データフィールドは３つのグループにグループ化され、第１のグループはインク容器１２の容量情報を表すデータ１、データ２、およびデータ３で表される
この容量情報は、上述したようにスケールパラメータおよび充填割合パラメータを用いて特定される
第２のデータフィールドグループは、
現在の滴カウントに関する情報を表すデータ４、データ５、およびデータ６
印刷動作中のインクの使用を追跡する
データ７、データ８、およびデータ９で表されるグループ３データは、現在のインク容器１２のインク残量を表す
【００５５】
三色容器１２を挿入すると、コントローラ２９がメモリ装置８０から情報を読み取り、図１５に示す構成Ａで表される三色インク容器１２として構成を解釈する
構成Ａの場合、印刷システム１０は、シアン、マゼンタ、およびイエローのインク容量をそれぞれ特定する情報としてデータフィールド１、２、３を解釈する
インク容器１２内の各チャンバの容量は、１つのメモリ装置８０において特定される
【００５６】同様に、三色インク容器１２である構成Ａの場合、印刷システム１０は、インク容器１２内のシアン、マゼンタおよびイエローのインクの現在の滴カウントすなわち使用情報を表すものとして、データフィールド４、５、６を解釈する。最後に、構成Ａの場合、グループ３データ中のデータフィールド７、８、９は、シアン、マゼンタおよびイエローのガスゲージ情報として解釈される。
【００５７】反対に、
ブラックインク容器を挿入すると、メモリ装置８０内の構成情報は、インク容器がブラックインク容器であると特定し
印刷システム１０は、図１５に示す構成Ｂに従ってメモリ装置８０内のデータフィールドを解釈する
構成Ｂでは、印刷システムは第１のデータグループ中の２番目のデータフィールドのみを利用し、このデータフィールドをブラックインク供給源の容量として解釈する
データ１およびデータ３は、３つの「Ｘ」で表されるように無視される
無視する情報として解釈する
無視する情報として取り扱う
【００５８】したがって、インク容器１２は、該容器のインク容量情報、該インク容器のインク残量情報、および現在のインク使用情報を特定するメモリ装置８０を備え、印刷システムはこれらの情報を利用して、インク容器１２についての現在のインク使用情報を更新する。
構成情報を利用して電気記憶装置８０上のデータフィールドを再定義する
電気記憶装置８０は、インク容器１２内の異なるチャンバそれぞれのインク容量、現在のインク残量、およびインク追跡情報を提供することが可能である
　イ　本願明細書の上記アの記載及び本願の図面の図５ないし図１５の記載から、次の事項が把握される。
「インク槽（インクチャンバ）を３つ有する三色インク容器が印刷システムの三色ベイに挿入され新たに取り付けられると、印刷システムのコントローラが三色インク容器の電気記憶装置に指示して三色インク容器のスケールパラメータ、三色インク容器の構成パラメータ及び三色インク容器内の各インクチャンバについての各充填割合パラメータの情報を前記コントローラに提供させ、これらの情報を前記コントローラが解釈して、スケールパラメータおよび充填割合パラメータを用いて三色インク容器内の各チャンバに関連するインク容量を決定し、構成パラメータの構成情報を利用して、３つのグループに編成再定義した前記電気記憶装置上のデータフィールドの第１のグループに、その各チャンバに関連するインク容量情報を表すデータ１、データ２及びデータ３を格納し、同じく第２グループに、印刷動作中のインクの使用を追跡する現在の滴カウントに関する情報を表すデータ４、データ５及びデータ６を格納し、同じく第３グループに、現在のインク容器のインク残量を表すデータ７、データ８及びデータ９を格納し、三色インク容器内の異なるチャンバそれぞれのインク容量、現在のインク残量、およびインク追跡情報を提供するようになし、
　単一インク槽のブラックインク容器が印刷システムの単色ベイに挿入され新たに取り付けられると、前記コントローラがブラックインク容器の電気記憶装置に指示してブラックインク容器のスケールパラメータ、ブラックインク容器の構成パラメータ及びブラックインク容器の充填割合パラメータの情報を前記コントローラに提供させ、これらの情報を前記コントローラが解釈して、スケールパラメータおよび充填割合パラメータを用いてブラックインク容器のインク容量を決定し、構成パラメータの構成情報を利用して、３つのグループに編成再定義したブラックインク容器の電気記憶装置上のデータフィールドの第１のグループに、そのインク容量情報を表すデータ２を格納し、同じく第２グループに、印刷動作中のインクの使用を追跡する現在の滴カウントに関する情報を表すデータ５を格納し、同じく第３グループに、現在のインク容器のインク残量を表すデータ８を格納し、ブラックインク容器のインク容量、現在のインク残量、およびインク追跡情報を提供するようになし、
　前記コントローラは、電気記憶装置から読み取った構成フィールドの情報が、三色インク容器を表すかブラックインク容器を表すかを解釈し、三色インク容器を表す場合、前記データフィールドのデータ１、データ２及びデータ３をシアン、マゼンタ及びイエローのインク容量をそれぞれ特定する情報として解釈し、ブラックインク容器を表す場合は、前記データフィールドのデータ１、データ２及びデータ３をそれぞれ無視する情報、ブラックインク供給源の容量を特定する情報及び無視する情報として解釈する。」
　ウ　本願補正発明１は、上記（１）のア及びイの事項が明確でないが、本願補正発明１は、上記イの実施の態様を含むものであると認められるから、本願補正発明１の上記（１）のア及びイの事項は、少なくとも上記イの実施の態様において具体化されたものを含む事項である。してみると、本願補正発明１は次の発明（以下「本願補正発明Ａ」という。）を包含する発明であるといえる。
「インクをインクジェットプリンタに供給するためのインク容器であって、
　前記インクジェットプリンタにインク容器のパラメータを提供するための電気記憶装置を備え、
　該電気記憶装置は、
　前記インク容器が有するインク槽の数に基づいて前記インク容器を区別し、インク槽が１つの第１インク容器構成及びインク槽が３つの第２インク容器構成のいずれのインク容器構成かを特定する１つの構成パラメータと、
　前記インク容器のインク容量を特定するインク容量パラメータと
　を含むインク容器であって、
　前記インクジェットプリンタのコントローラは、
　　第２インク容器がインクジェットプリンタの第２ベイに挿入され新たに取り付けられると、第２インク容器の電気記憶装置から第２インク容器のパラメータの提供を受け、これらのパラメータを用いて第２インク容器内の各チャンバに関連するインク容量を決定し、
　　第１インク容器がインクジェットプリンタの第１ベイに挿入され新たに取り付けられると、第１インク容器の電気記憶装置から第１インク容器のパラメータの提供を受け、これらのパラメータを用いて第１インク容器のインク容量を決定し、
　　前記いずれかの電気記憶装置から構成パラメータを読み取ると、読み取った構成パラメータが、第２インク容器を表すか第１インク容器を表すかを解釈し、第２インク容器を表す場合、前記電気記憶装置に格納されているデータ１、データ２及びデータ３を第２インク容器の各チャンバのインク容量をそれぞれ特定する情報として解釈し、第１インク容器を表す場合は、前記電気記憶装置に格納されているデータ１、データ２及びデータ３をそれぞれ無視する情報、第１インク容器のインク容量を特定する情報及び無視する情報として解釈するようになっている、
　インク容器。」
　エ　刊行物の記載事項
（ア）原査定の拒絶の理由に引用された本願の優先日前に頒布された刊行物である特開平１１−３３４０５９号公報（以下「引用例１」という。）には、図とともに次の事項が記載されている。
　ａ　「【０００７】
〔発明の詳細な説明〕図１は、本実施形態の
インクジェット印刷システム１０
…略…
【００１１】図２は、
取外し可能な交換式のインク容器１８
単色の印刷を行う
単一のインク容器１８
複数の色が必要な場合は、通常、図１に示したように、関連したインク容器１８をそれぞれ有する
使用される
　ｂ　「【００１２】…略…
インク容器１８をインク容器受け部２４に適切に差し込むことにより、インク容器１８とプリンタ部分１２との間に電気的結合（ electrical coupling）と流動的結合（ fluidic coupling ）とが確立される。流動的結合は、インク容器１８に蓄えられたインクをプリントヘッド１６に提供することを可能にする。電気的結合は、インク容器１８とプリンタ部分１２との間で情報を転送して、プリンタ部分１２の動作がインク容器１８内のインクと互換性（ compatible ）を持つようにし、それにより印刷システム１０の高い印刷品質および確実な動作を達成する
　ｃ　「【００１６】プリントヘッド１６やインク容器１８などの交換式印刷部品１４はそれぞれ、交換式印刷部品１４に
関連した情報を記憶するために、電気的記憶装置やメモリなどの情報記憶装置（ information storage device ）（以後、単に記憶装置と記載する）３８を有す
　ｄ　「【００２２】交換式印刷部品１４に関連した
記憶装置３８に記憶することができるパラメータ
インク容器のサイズ
【００２３】図５は、データ部（ data portion ）とトランザクション記録部（ transaction record portion ）とを有する記憶装置３８を示す説明図であり、記憶装置３８と制御装置２６との間のデータの転送（以後、データ転送と記載する）におけるデータの完全性を保証するために、印刷システム１０の制御装置２６と共に使用される記憶装置３８を表す。
記憶装置３８は、８ビット×Ｎのメモリとして編成され
個別にアドレス指定可能な８ビットのメモリのロケーション（ location ）は、０〜Ｎ−１のアドレス値の範囲によって表され
記憶装置３８内の
印刷システム１０内の制御装置２６が、特定の情報のうちの少なくとも一部がどこに記憶されているかを分かっている
…略…
【００２７】アドレス値０〜Ｎ−７で表されたデータ部と、アドレス値Ｎ−４〜Ｎ−１で表されたトランザクション記録部の他に、記憶装置３８に記憶される値がいくつかある。
アドレス値Ｎ−７は、タグ・ファミリ識別子であるファミリ識別（ family identification, family ID ）の情報を有し、
…略…
【００３７】前述のように、記憶装置３８は、各データ・バイトが８つの独立したビットの情報を含むデータ・バイトで編成される。このような情報のビットは、図８において値０〜７で示され、０が最下位ビット（ least significant bit, LSB ）、７が最上位ビット（ most significant bit, NSB）である。データのそれぞれの独立したバイトは、図８において０〜Ｎのアドレス値で表されたようにアドレス指定可能である。
【００３８】データ部に記憶されたデータを識別またはラベル付けするために、タグ付け機構（ tagging scheme ）が使用される（すなわち、タグの情報を使用する）。タグ付け機構を使用すると、記憶装置３８内のデータ編成の適応性（ flexibility）が高くなる。タグ付け機構を使用すると、記憶装置３８内のデータのロケーションとサイズとの適応性を高めることができる。さらに、タグ付け機構は、下方互換性（downward compatibility）を可能にし且つ印刷システムに新しい機能と改良とを加えるために新しいデータ値を追加することを可能にする。たとえば、交換式印刷部品１４は、新しいプリンタに特定の機能を提供するデータを有することができる。その機能を持たない旧式のプリンタは、旧式の印刷システムが認識しないタグに関連するデータだけを無視することにより、交換式印刷部品１４を使用することができる。この方式において、交換式印刷部品１４のバージョンの数が減少し、交換式印刷部品１４の製造コストが低くなる。
【００３９】タグ付け機構は、
記憶装置３８のデータ部に選択的に位置決めされたタグ識別子（ tag identifiers）（タグＩＤ）を使用して、各タグＩＤと関連したデータのパラメータ（以後、データ・パラメータと記載する）とデータのフィールド（field）とを識別する。好ましい実施形態において、タグＩＤは、続くデータ・パラメータ値を識別する５ビットの値である。タグＩＤの他に、タグＩＤに関連したデータ・パラメータのサイズを識別するために、データ長のパラメータ（ data length parameter）が提供される。好ましい実施形態において、データ長のパラメータは、後続する０〜７のバイト数を識別する３ビットの値である。したがって、特定のタグが認識されない場合、印刷システムは、データ長の値を使用して、次のタグが記憶装置３８のどこにあるかを決定する。次に、その次のタグを読み込み、そのタグが認識されたかどうかを決定する。タグが認識された場合、印刷システム１０は、そのタグと関連したパラメータ値を読み込むことができる。
【００４４】図１０は、交換式印刷部品から交換式印刷部品のパラメータ値を読取る交換式印刷部品からのパラメータ読取り方法を示すフローチャートであり、タグＩＤに必要なビットのサイズまたは数を減らす方法を示している。タグＩＤは、記憶装置３８のスペースを消費し、印刷システム１０と交換式印刷部品１４との間のトランザクションにおけるオーバヘッド（ overhead ）を必要とするため、タグＩＤのサイズを小さくすることは有益である。
【００４５】
ファミリＩＤ
記憶装置３８ごとに、たとえば、アドレス値Ｎ−７に提供され
ファミリＩＤは、交換式印刷部品１４の特定のファミリ（ family ）を識別する
印刷システム１０は
ファミリＩＤを使用してタグＩＤを解読する
【００４６】
動作中、印刷システム１０は、ステップＳ６８において、記憶装置３８からファミリＩＤを読み取る
読み取ったファミリＩＤに基づいて複数の異なるデコードから適切なデコードを選択
プリンタ部分は、エンコードされているタグＩＤ値を認識するまで記憶装置３８を読み取
選択されたデコードに基づいてデコードされる
デコードされたタグＩＤにより、タグに続くデータを識別す
この識別されたデータは、印刷システム１０によって読み取られる
次のタグＩＤにジャンプ（すなわち、次のタグＩＤにアドレスをインクリメント）し、ステップＳ７２に戻り、次のタグＩＤを読み取る。このプロセスは、すべてのタグと関連するパラメータが印刷システムに読み込まれるまで続く
【００４７】印刷システム１０が、図１に示したような複数の交換式印刷部品１４を含む場合において、
各交換式印刷部品のパラメータ値が固有のタグＩＤを必要とする場合、タグＩＤのフィールド（ field）は
各ファミリの種類ごとに個別のファミリのデコードを使用しないと、とても大きなものとなる
大幅な節約
　ｅ　「【００４８】…略…
複数のインク容器の各インク容器は、別々に交換可能でも一体ユニットとして交換可能でもよい
複数のインク容器が、単一の交換式印刷部品１４に一体化されている場合は、この単一の交換式印刷部品１４には、単一の電気的記憶部３８だけが必要である
　オ　引用例１に記載された発明
　上記エのａないしｅからみて、引用例１には、次の発明（以下「引用発明１」という。）が記載されているものと認められる。
　
「取外し可能な交換式の単色の印刷を行うための単一のインク容器からなる第１インク容器と、
　複数の色が必要な場合に使用される関連した複数のインク容器が一体ユニットとして交換可能でもよい取外し可能な交換式の第２インク容器とを備え、
　第１又は第２インク容器をインク容器受け部に適切に差し込むことにより、該インク容器とプリンタ部分との間で情報を転送して、差し込まれたインク容器内のインクと互換性を持つように動作し、それにより高い印刷品質および確実な動作を達成するインク容器とプリンタ部分との間の電気的結合と、差し込まれたインク容器に蓄えられたインクをプリントヘッドに提供することを可能にするインク容器とプリンタ部分との間の流動的結合とが確立されるインクジェット印刷システムにおいて、
　第１及び第２インク容器は、各インク容器に関連した情報を記憶するために、それぞれ単一の電気的記憶装置を有しており、
　各電気的記憶装置は、８ビット×Ｎのメモリとして編成され、８ビットのメモリのロケーションは、０〜Ｎ−１のアドレス値の範囲によって表され個別にアドレス指定可能であって、
　前記印刷システム内の制御装置は、特定の情報のうちの少なくとも一部が各電気的記憶装置内のどこに記憶されているかを分かっていて、
　各電気的記憶装置には、関連するインク容器のサイズのパラメータが記憶されており、そのアドレス値Ｎ−７には、タグ・ファミリ識別子（ファミリＩＤ）を有しており、
　各電気的記憶装置のデータ部には、続くデータ・パラメータ値を識別するために選択的に位置決めされたタグ識別子（タグＩＤ）と、タグＩＤに関連したデータ・パラメータのサイズが後続する０〜７のバイト数のいずれかかを識別するためのデータ長のパラメータとが使用され、
　前記印刷システムは、特定のタグが認識されない場合、データ長の値を使用して、次のタグが記憶装置のどこにあるかを決定し、次に、その次のタグを読み込み、そのタグが認識されたかどうかを決定し、タグが認識された場合、そのタグと関連したパラメータ値を読み込むことができ、
　前記ファミリＩＤは、交換式印刷部品であるインク容器の特定のファミリを識別するためのものであり、かつ、前記印刷システムがタグＩＤを解読する際に使用するものであって、
　前記印刷システムは、動作中、第１又は第２インク容器の電気的記憶装置からファミリＩＤを読み取り、読み取ったファミリＩＤに基づいて複数の異なるデコードから適切なデコードを選択し、プリンタ部分は、エンコードされているタグＩＤ値を認識するまで前記電気的記憶装置を読み取り、認識したタグＩＤを前記選択されたデコードに基づいてデコードし、デコードされたタグＩＤによりタグＩＤに続くデータを識別し、識別されたデータを読み取って次のタグＩＤにジャンプし次のタグＩＤを読み取るプロセスを、すべてのタグと関連するパラメータを読み込むまで続けるようにすることにより、各交換式印刷部品であるインク容器のパラメータ値が固有のタグＩＤを必要とする場合、仮に各ファミリの種類ごとに個別のファミリのデコードを使用しないと、とても大きなものとなるタグＩＤのフィールドを、大幅に節約した印刷システム。」
　カ　対比
　本願補正発明Ａと引用発明１とを対比する。
（ア）引用発明１の「インク」、「インクジェット印刷システム」、「提供する」、「第１又は第２インク容器」、「電気的記憶装置」、「『関連するインク容器のサイズのパラメータ』及び『交換式印刷部品であるインク容器の特定のファミリを識別するためのファミリＩＤ』」、「取外し可能な交換式の単色の印刷を行うための単一のインク容器からなる第１インク容器」、「複数の色が必要な場合に使用される関連した複数のインク容器が一体ユニットとして交換可能でもよい取外し可能な交換式の第２インク容器」、「印刷システム内の制御装置」、「『第２インク容器』が差し込まれる『インク容器受け部』」、「『第１インク容器』が差し込まれる『インク容器受け部』」、「適切に差し込む」、「『第２インク容器』の『複数の色が必要な場合に使用される関連した複数のインク容器』」、「『タグＩＤ』を『デコード』し、『デコードされたタグＩＤによりタグＩＤに続くデータを識別』」及び「関連するインク容器のサイズのパラメータ」は、それぞれ、本願補正発明Ａの「インク」、「インクジェットプリンタ」、「供給する」、「インク容器」、「電気記憶装置」、「インク容器のパラメータ」「インク槽が１つの第１インク容器」、「インク槽が３つの第２インク容器」、「インクジェットプリンタのコントローラ」、「第２ベイ」、「第１ベイ」、「挿入され」、「第２インク容器内の各インクチャンバ」、「解釈」及び「インク容器のインク容量を特定するインク容量パラメータ」に相当する。
（イ）引用発明１の「インクジェット印刷システム」は「第１又は第２インク容器をインク容器受け部に適切に差し込むことにより、該インク容器とプリンタ部分との間で情報を転送して、差し込まれたインク容器内のインクと互換性を持つように動作し、それにより高い印刷品質および確実な動作を達成するインク容器とプリンタ部分との間の電気的結合が確立される」ものであるから、引用発明１の第２インク容器の電気的記憶装置に記憶されている「インク容器のインク容量を特定するインク容量パラメータ（関連するインク容器のサイズのパラメータ）」は、第２インク容器がインクジェットプリンタの第２ベイに挿入され新たに取り付けられると、第２インク容器の電気記憶装置からインクジェットプリンタのコントローラに提供され、インクジェットプリンタは、このパラメータを用いて第２インク容器内の各チャンバに関連するインク容量を決定して、差し込まれた第２インク容器内のインクと互換性を持つように動作し、それにより高い印刷品質および確実な動作を達成するものと認められ、また、引用発明１の第１インク容器の電気的記憶装置に記憶されている「インク容器のインク容量を特定するインク容量パラメータ（関連するインク容器のサイズのパラメータ）」は、第１インク容器がインクジェットプリンタの第１ベイに挿入され新たに取り付けられると、第１インク容器の電気記憶装置からインクジェットプリンタのコントローラに提供され、インクジェットプリンタは、このパラメータを用いて第１インク容器のインク容量を決定して、差し込まれた第１インク容器内のインクと互換性を持つように動作し、それにより高い印刷品質および確実な動作を達成するものと認められる。
　よって、引用発明１の第１及び第２インク容器は、本願補正発明Ａの「前記インクジェットプリンタのコントローラは、第２インク容器がインクジェットプリンタの第２ベイに挿入され新たに取り付けられると、第２インク容器の電気記憶装置から第２インク容器のパラメータの提供を受け、これらのパラメータを用いて第２インク容器内の各チャンバに関連するインク容量を決定し、第１インク容器がインクジェットプリンタの第１ベイに挿入され新たに取り付けられると、第１インク容器の電気記憶装置から第１インク容器のパラメータの提供を受け、これらのパラメータを用いて第１インク容器のインク容量を決定するようになっている、インク容器。」の事項を備えているといえる。
（ウ）上記（ア）及び（イ）から、本願補正発明Ａと引用発明１の第１及び第２インク容器とは、
　
「インクをインクジェットプリンタに供給するためのインク容器であって、
　前記インクジェットプリンタにインク容器のパラメータを提供するための電気記憶装置を備え、
　該電気記憶装置は、
　前記インク容器のインク容量を特定するインク容量パラメータを含むインク容器であって、
　前記インクジェットプリンタのコントローラは、
　　第２インク容器がインクジェットプリンタの第２ベイに挿入され新たに取り付けられると、第２インク容器の電気記憶装置から第２インク容器のパラメータの提供を受け、これらのパラメータを用いて第２インク容器内の各チャンバに関連するインク容量を決定し、
　　第１インク容器がインクジェットプリンタの第１ベイに挿入され新たに取り付けられると、第１インク容器の電気記憶装置から第１インク容器のパラメータの提供を受け、これらのパラメータを用いて第１インク容器のインク容量を決定するようになっている、
　インク容器。」の点で一致し、次の点で相違する。 
　
相違点１：
　本願補正発明Ａにおいては、前記電気記憶装置が、「前記インク容器が有するインク槽の数に基づいて前記インク容器を区別し、インク槽が１つの第１インク容器構成かインク槽が３つの第２インク容器構成のいずれのインク容器構成かを特定する１つの構成パラメータ」を含み、前記インクジェットプリンタのコントローラは、「前記いずれかの電気記憶装置から構成パラメータを読み取ると、読み取った構成パラメータが、第２インク容器を表すか第１インク容器を表すかを解釈し、第２インク容器を表す場合、前記電気記憶装置に格納されているデータ１、データ２及びデータ３を第２インク容器の各チャンバのインク容量をそれぞれ特定する情報として解釈し、第１インク容器を表す場合は、前記電気記憶装置に格納されているデータ１、データ２及びデータ３をそれぞれ無視する情報、第１インク容器のインク容量を特定する情報及び無視する情報として解釈するようになっている」のに対して、引用発明１においては、前記電気記憶装置が、そのような構成パラメータを含んでおらず、前記インクジェットプリンタのコントローラは、そのようになっていない点。
　
　キ　判断
　上記相違点１について検討する。
（ア）引用発明１は、第１又は第２インク容器をインク容器受け部に適切に差し込むものであり、第１インク容器は単一のインク容器からなり、第２インク容器は関連した複数のインク容器が一体ユニットとして交換可能でもよい取外し可能な交換式のものであるから、各交換式印刷部品である第１又は第２インク容器のパラメータ値が固有のタグＩＤを必要とするインクジェットプリンタである。また、引用発明１は、各交換式印刷部品であるインク容器のパラメータ値が固有のタグＩＤを必要とする場合、仮に各ファミリの種類ごとに個別のファミリのデコードを使用しないと、とても大きなものとなるタグＩＤのフィールドを、大幅に節約するために、その各電気的記憶装置のアドレス値Ｎ−７に、交換式印刷部品であるインク容器の特定のファミリを識別するためのファミリＩＤを有しているものである。してみれば、引用発明１の第１又は第２インク容器は異なるファミリに属するインク容器であるものと認められる。よって、引用発明１の「ファミリＩＤ」は、本願補正発明Ａの「前記インク容器が有するインク槽の数に基づいて前記インク容器を区別し、インク槽が１つの第１インク容器構成及びインク槽が３つの第２インク容器構成のいずれのインク容器構成かを特定する１つの構成パラメータ」に相当するものと認められる。
（イ）また、引用発明１の「インクジェットプリンタのコントローラ」は、動作中、「前記いずれかの電気記憶装置（第１又は第２インク容器の電気的記憶装置）」から「インク槽が１つの第１インク容器構成かインク槽が３つの第２インク容器構成のいずれのインク容器構成かを特定する１つの構成パラメータ（ファミリＩＤ）」を読み取り、読み取った構成パラメータに基づいて「第２インク容器を表すか第１インク容器を表すかを解釈（複数の異なるデコードから適切なデコードを選択し、プリンタ部分は、エンコードされているタグＩＤ値を認識するまで前記電気的記憶装置を読み取り、認識したタグＩＤを前記選択されたデコードに基づいてデコードし、デコードされたタグＩＤによりタグＩＤに続くデータを識別）」し、識別されたデータを読み取って次のタグＩＤにジャンプし次のタグＩＤを読み取るプロセスを、すべてのタグと関連するパラメータを読み込むまで続けるようにするものであって、かつ、「第２インク容器がインクジェットプリンタの第２ベイに挿入され新たに取り付けられると、第２インク容器の電気記憶装置から第２インク容器のパラメータの提供を受け、これらのパラメータを用いて第２インク容器内の各チャンバに関連するインク容量を決定し、第１インク容器がインクジェットプリンタの第１ベイに挿入され新たに取り付けられると、第１インク容器の電気記憶装置から第１インク容器のパラメータの提供を受け、これらのパラメータを用いて第１インク容器のインク容量を決定するようになっている」ものである。
（ウ）上記（ア）及び（イ）からして、引用発明１において、「インクジェットプリンタのコントローラ」を、いずれかの電気記憶装置から構成パラメータを読み取ると、読み取った構成パラメータが第２インク容器を表すか第１インク容器を表すかを解釈し、読み取った構成パラメータが第２インク容器を表す場合、前記電気記憶装置に格納されているインクチャンバの数だけ必要であることが明らかなインク容量パラメータを、各インク容量パラメータを特定する複数のタグＩＤと共に読み込み、第２インク容器の各チャンバのインク容量をそれぞれ特定する情報として解釈し、読み取った構成パラメータが第１インク容器を表す場合は、前記電気記憶装置に格納されている前記複数のタグＩＤのうちの１つと共に読み込んだデータを第１インク容器のインク容量を特定する情報と解釈し、そのうちの他のタグＩＤのデータは無視する情報として解釈するようにすることは、当業者が引用発明１に基づいて容易に想到することができたものと認められる。
（エ）しかも、引用発明１の各「電気記憶装置」は、個別にアドレス指定可能であって、引用発明１の「インクジェットプリンタのコントローラ」は、特定の情報のうちの少なくとも一部が各電気記憶装置内のどこに記憶されているかを分かっているものであるから、引用発明１において、タグＩＤを用いるか、上記相違点１に係る本願補正発明Ａのように「前記電気記憶装置に格納されているデータ１、データ２及びデータ３を、読み取った構成パラメータが第２インク容器を表す場合は、第２インク容器の各チャンバのインク容量をそれぞれ特定する情報として解釈し、読み取った構成パラメータが第１インク容器を表す場合は、それぞれ、無視する情報、第１インク容器のインク容量を特定する情報及び無視する情報として解釈する」ようになすかは、当業者が適宜決定すべき設計上の事項に過ぎない。
　よって、引用発明１において、上記相違点１に係る本願補正発明Ａの構成となすことは、当業者が容易に想到することができた程度のものである。
（オ）ところで、本願補正発明Ａは「インク容器」の発明であるところ、上記相違点１のうち、「本願補正発明Ａにおいては、前記インクジェットプリンタのコントローラは、前記いずれかの電気記憶装置から構成パラメータを読み取ると、読み取った構成パラメータが、第２インク容器を表すか第１インク容器を表すかを解釈し、第２インク容器を表す場合、前記電気記憶装置に格納されているデータ１、データ２及びデータ３を第２インク容器の各チャンバのインク容量をそれぞれ特定する情報として解釈し、第１インク容器を表す場合は、前記電気記憶装置に格納されているデータ１、データ２及びデータ３をそれぞれ無視する情報、第１インク容器のインク容量を特定する情報及び無視する情報として解釈するようになっているのに対して、引用発明１においては、前記インクジェットプリンタのコントローラはそのようになっていない点。」については、インクジェットプリンタのコントローラに関する相違点であるから、上記（ア）のとおり、引用発明１の「ファミリＩＤ」は、本願補正発明Ａの「前記インク容器が有するインク槽の数に基づいて前記インク容器を区別し、インク槽が１つの第１インク容器構成かインク槽が３つの第２インク容器構成のいずれのインク容器構成かを特定する１つの構成パラメータ」に相当するものと認められる以上、上記相違点１は実質的な相違点ではない。
（カ）以上のとおり、上記相違点１は実質的な相違点でない。あるいは、当業者が引用発明１に基づいて容易に想到することができた程度のものである。
　ク　まとめ
　本願補正発明１に包含される発明である本願補正発明Ａが、引用発明１の第１及び第２インク容器と実質的に同一の発明であるから、本願補正発明１は引用例１に記載された発明である。よって、本願補正発明１は特許法第２９条第１項第３号の規定に該当し、特許出願の際独立して特許を受けることができないものである。
　あるいは、本願補正発明１に包含される発明である本願補正発明Ａが、引用発明１に基づいて容易に想到することができた程度のものであるから、本願補正発明１は引用例１に記載された発明に基づいて当業者が容易に発明をすることができたものである。よって、本願補正発明１は特許法第２９条第２項の規定により、特許出願の際独立して特許を受けることができないものである。
　
３．本願補正発明４について
（１）発明の詳細な説明における本願補正発明４についての記載
　ア　本願補正発明４は、上記１．（１）イで本件補正後の請求項４として記載したとおりであり、本願補正発明４の「前記インクスケールパラメーラの値に応じて前記電気記憶装置のデータフィールドにおける読み出し位置が特定され、前記充填割合パラメータが決定される」との発明特定事項を備えている。
　イ　しかし、上記２．（２）イで述べたとおり、本願明細書の発明の詳細な説明に具体的に記載した事項では、「電気記憶装置のデータフィールドにおける読み出し位置」に対応した「データ１、データ２及びデータ３」を解釈して何かを特定する際に用いられるパラメータは「インクスケールパラメーラ」でなく構成フィールドの情報、すなわち「構成パラメータ」であり、そのことにより決定されるのは「インク容量を特定する情報」であって「充填割合パラメータ」ではない。
　ウ　したがって、本願補正発明４は、本願明細書の発明の詳細な説明に記載したものではないから、本願は、特許法第３６条第６項第１号に規定する要件を満たしていない。
　よって、本願補正発明４は、特許出願の際独立して特許を受けることができないものである。　
（２）請求項４の記載の明確性について
　ア　本願補正発明４は、上記１．（１）イで本件補正後の請求項４として記載したとおりであるが、「前記インクスケールパラメーラの値に応じて前記電気記憶装置のデータフィールドにおける読み出し位置が特定され、前記充填割合パラメータが決定される」との事項は、次の（ア）ないし（ウ）の点で明確でない。なお、「インクスケールパラメーラ」は「インクスケールパラメータ」を誤記したものと解して判断した。
（ア）「前記インクスケールパラメーラの値に応じて前記電気記憶装置のデータフィールドにおける読み出し位置が特定され」ることと、決定される「前記充填割合パラメータ」との関係が明確でない。
（イ）「前記インクスケールパラメーラ」は「複数のインク容量範囲からあるインク容量範囲を選択するための」パラメータであり、「前記充填割合パラメータ」はインクスケールパラメーラが「選択したインク容量範囲」の「充填割合を特定するための」パラメータであるところ、「充填割合パラメータ」の読み出し位置が「インクスケールパラメーラ」の値に応じて特定されるのであれば、インクスケールパラメーラが「選択したインク容量範囲」の「充填割合」を「充填割合パラメータ」で特定する意味がなくなる。
（ウ）「読み出」す主体、「特定」する主体及び「決定」する主体が特定されていないので、その主体が明確でない。
　イ　したがって、本件補正後の特許請求の範囲の請求項４の記載は明確でないから、本願は特許法第３６条第６項第２号に規定する要件を満たしていない。
　よって、本願補正発明４は、特許出願の際独立して特許を受けることができないものである。
　
４．小括
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１．本願発明
　本件補正は上記のとおり却下されたので、本願の請求項に係る発明は、平成１８年４月２８日付けの手続補正書によって補正された明細書及び図面の記載からみて、その特許請求の範囲の請求項１ないし１０に記載された事項によって特定されるものであるところ、請求項１、４に係る発明（以下「本願発明１」、「本願発明４」という。）は、上記「第２〔理由〕１．（１）ア、イ」で、本件補正前の請求項１、４として記載したとおりのものである。
　
２．原査定の拒絶の理由の概要
　原査定の拒絶の理由は、「この出願については、平成１７年１０月２４日付け拒絶理由通知書に記載した理由１及び２によって、拒絶をすべきものである。」というものであり、この拒絶理由通知書により通知された拒絶理由１及び拒絶理由２の本願発明１、４に関する部分は概略次のとおりである。
（１）拒絶理由１
　この出願は、特許請求の範囲の記載が下記の点で、特許法第３６条第６項第２号に規定する要件を満たしていない。
　　　　　　　　　　　　　　　　　記
　ア　請求項１に記載された「複数のインク容器構成からあるインク容器構成を特定する構成パラメータ」とは、インク容器における何の構成を特定するものであるのかが不明である。すなわち、インク容器構成といっても、その容器の形状、サイズ、内容物など、構成に要する様々な要素があり、前記構成パラメータがどのような観点でインク容器の構成を特定するものであるのか、請求項１の記載では理解できない。
　なお、平成１８年４月２８日付け手続補正により、請求項１の「構成パラメータ」は、「前記インク容器の内部構成を区別」するものであり、かつ、「１つ」であることが特定された。
　イ　上記アで述べたように、構成パラメータがインク容器における何の構成を特定するものかが不明であるから、請求項１の「インク容量パラメータは、前記構成パラメータによって定義され」との記載における「この構成パラメータによって定義される」とは、どのような定義によってインク容量パラメータが特定されるのかが不明である。
　よって、請求項１に係る発明は明確でない。
（２）拒絶理由２
　ア　本願発明１は、その出願前日本国内において頒布された刊行物である引用例１（特開平１１−３３４０５９号公報）に記載された発明に基いて、その出願前にその発明の属する技術の分野における通常の知識を有する者が容易に発明をすることができたものであるから、特許法第２９条第２項の規定により特許を受けることができない。
　イ　本願発明４は、その出願前日本国内において頒布された刊行物である特開平１１−２９１５１８号公報（以下「引用例２」という。）に記載された発明に基いて、その出願前にその発明の属する技術の分野における通常の知識を有する者が容易に発明をすることができたものであるから、特許法第２９条第２項の規定により特許を受けることができない。
　
３．当審の判断
（１）拒絶理由１について
　ア　「構成パラメータ」について
（ア）請求項１には「前記インク容器の内部構成を区別し、複数のインク容器構成からあるインク容器構成を特定する１つの構成パラメータ」との記載がある。この記載から、「構成パラメータ」は、「インクジェットプリンタにインク容器のパラメータを提供するための電気記憶装置を備え、インクを前記インクジェットプリンタに供給するためのインク容器」の「内部構成を区別」し、「複数のインク容器構成からあるインク容器構成を特定する」ためのパラメータであって、該パラメータは前記電気記憶装置に「１つ」含まれていることが理解でき、また、「構成パラメータ」は、電気記憶装置がインクジェットプリンタに提供する「インク容器のパラメータ」のうちの１つであることも理解できる。
（イ）上記（ア）のとおり理解すると、インク容器の内部にはインクが収納されているものと解され、インク容器の内部の構成は少なくともインクを収納するための構成を備えているものと解される。そして、インク容器の内部構成を「区別」するとは、インク容器の内部構成の違いによってインク容器を分けることであるから、インク容器は複数備わっているものと解される。してみると、本願発明１は、複数のインク容器があることが前提になっており、かつ、複数のインク容器は内部構成が異なる複数種別のものが含まれていることも前提になっているものと解される。
（ウ）上記（イ）のように解することができるとしても、「あるインク容器構成を特定する」との事項が技術上何を意味するのかは明確でない。したがって、請求項１の「前記インク容器の内部構成を区別し、複数のインク容器構成からあるインク容器構成を特定する１つの構成パラメータ」との記載は明確でないから、本願発明１の「構成パラメータ」は明確でない。
　イ　「該インク容量パラメータは、前記構成パラメータによって定義される」について
（ア）請求項１には「該インク容量パラメータは、前記構成パラメータによって定義される」との記載がある。この記載から、「インク容器のインク容量を特定するインク容量パラメータ」は、「インク容器の内部構成を区別し、複数のインク容器構成からあるインク容器構成を特定する１つの構成パラメータによって定義される」パラメータであることが理解でき、該パラメータは１つの構成パラメータとともに電気記憶装置に含まれているものである。
（イ）一般に「定義」とは、「概念の内容を限定すること。すなわち、ある概念の内包を構成する本質的属性を明らかにし他の概念から区別すること。」（広辞苑、第四版、１９９４年９月１２日第四刷、株式会社岩波書店発行）である。請求項１の記載によれば、「インク容量パラメータ」は「インク容器のインク容量を特定する」パラメータであると定義されているものと理解される。そうすると、インク容量パラメータは、インク容器の内部構成を区別し、複数のインク容器構成からあるインク容器構成を特定する１つの構成パラメータによって、インク容器のインク容量を特定するパラメータであることを定義されることになる。しかし、このことが技術上いかなることを意味するのかは、「構成パラメータ」が明確でないこと（上記ア参照。）と相まって、明確でない。
　ウ　したがって、本願発明１は明確でないから、本願は特許法第３６条第６項第２号に規定する要件を満たしていない。
　
（２）拒絶理由２について
　ア　本願発明１について
（ア）引用刊行物
　原査定の拒絶の理由に引用された引用例１及びその記載事項は、前記「第２〔理由〕２．（２）エ」に記載したとおりである。
（イ）引用例１に記載された発明は、前記「第２〔理由〕２．（２）オ」に記載したとおりである。
（ウ）対比・判断
　本願発明１は、前記第２で検討した本願補正発明１から、その「前記インク容器の特定の内部構成に基づいて前記インク容器を区別し、」との事項の「内部構成」を「特定の」ものにする限定と、「区別」する対象が特定の内部構成を備えた「インク容器」であるとの限定とを省いて「前記インク容器の内部構成を区別し、」とし、同じく本願補正発明１の「前記構成パラメータの値に応じて前記電気記憶装置のデータフィールドにおける読み出し位置が特定され、前記インク容量パラメータが決定される」との事項から、インク容量パラメータを構成パラメータの「値に応じて電気記憶装置のデータフィールドにおける読み出し位置を特定」して定義するとの限定を省いて「該インク容量パラメータは、前記構成パラメータによって定義される」としたものに相当する。
　そうすると、本願発明の構成要件をすべて含み、さらに減縮したものに相当する本願補正発明１が、前記「第２〔理由〕２．（２）キ及びク」に記載したとおり、引用例１に記載された発明である、あるいは、引用例１に記載された発明に基づいて当業者が容易に発明をすることができたものであるから、本願発明１も同様の理由により、引用例１に記載された発明である、あるいは、引用例１に記載された発明に基づいて当業者が容易に発明をすることができたものである。
（エ）まとめ
　したがって、本願発明１は、引用例１に記載された発明であるから特許法第２９条第１項第３号の規定に該当し特許を受けることができない。
　あるいは、本願発明１は、引用例１に記載された発明に基づいて当業者が容易に発明をすることができたものであるから特許法２９条２項の規定により特許を受けることができない。
　イ　本願発明４について
（ア）引用刊行物
　原査定の拒絶の理由に引用された本願の優先日前に頒布された刊行物である引用例２（特開平１１−２９１５１８号公報）には、図とともに次の発明（以下「引用発明２」という。）が記載されている。
「【請求項１】
　インクの供給を受けるように構成され、制御信号に応答してインクを媒体に被着させるプリンタ部（12）と、
前記プリンタ部にパラメータを提供する電気記憶装置（38）を含み、前記プリンタ部にインクの供給を提供する交換可能なインク容器（18）とから成り、前記電気記憶装置（38）が、
複数のインク容器容量範囲からあるインク容器容量範囲を選択するための、インク容器スケールパラメータと、
前記選択されたインク容量範囲について充填割合を指定する充填割合パラメータとを含み、
前記プリンタ部（12）が、前記充填割合パラメータおよび前記選択されたインク容量範囲に基づいて、前記インク容器（18）に関連するインク量を決定する、インクジェット印刷装置（10）。」
（イ）対比・判断
　本願発明４と引用発明２とを対比する。
　ａ　引用発明２の「『プリンタ部（12）』を備えた『インクジェット印刷装置（10）』」、「パラメータを提供する」、「電気記憶装置（38）」、「インク容器（18）」、「複数のインク容器容量範囲からあるインク容器容量範囲を選択するための、インク容器スケールパラメータ」及び「前記選択されたインク容量範囲について充填割合を指定する充填割合パラメータ」は、それぞれ、本願発明４の「インクジェットプリンタ」、「情報を提供する」、「電気記憶装置」、「インク容器」、「複数のインク容量範囲からあるインク容量範囲を選択するためのインクスケールパラメータ」及び「前記選択したインク容量範囲の充填割合を特定するための充填割合パラメータ」に相当する。
　ｂ　引用発明２の「インク容器（インク容器（18））」は「電気記憶装置（電気記憶装置（38））」を含んでいるから、引用発明２の「電気記憶装置」は「インク容器」と併せて用いるものであるといえる。よって、引用発明２の「電気記憶装置」と本願発明４の「電気記憶装置」とは「インク容器と併せて用いる」点で一致する。
　ｃ　引用発明２の「電気記憶装置（電気記憶装置（38））」は、「インクスケールパラメータ（インク容器スケールパラメータ）」と「充填割合パラメータ」とを含んでいるから、引用発明２の「電気記憶装置」と本願発明４の「電気記憶装置」とは、「インクスケールパラメータと、充填割合パラメータとを含む」点で一致する。
　ｄ　上記ａないしｃから、本願発明４と引用発明２の電気記憶装置（38）とは、
「インクジェットプリンタに情報を提供するためのインク容器と併せて用いる電気記憶装置であって、複数のインク容量範囲からあるインク容量範囲を選択するためのインクスケールパラメータと、前記選択したインク容量範囲の充填割合を特定するための充填割合パラメータとを含む電気記憶装置。」である点で一致し、相違するところはない。
　ｅ　したがって、本願発明４は引用例２に記載された発明である。
（ウ）まとめ
　以上のとおり、本願発明４は引用例２に記載された発明であるから、特許法第２９条第１項第３号の規定に該当し特許を受けることができない。
　
　なお、審判請求人は、請求の理由の（Ｖ）において、本願補正発明１の構成パラメータは１つで済むという利点を備えるのに対して引用例１及び２の各個又はそれらの組合せにおいても、パラメータは複数であることが前提であり、このような利点はない旨と、本願補正発明４についても同様である旨を主張しているが、引用例１に「ファミリＩＤは、図５に示したように、記憶装置３８ごとに、たとえば、アドレス値Ｎ−７に提供される。」（段落００４５参照。）と記載されていることからみて、「構成パラメータ」に相当する（「第２〔理由〕２．（２）キ」参照。）引用発明１の「ファミリＩＤ」は、各記憶装置３８ごとに、そのアドレス値Ｎ−７に１つ提供されるものであることが明らかである。
　また、原査定の拒絶の理由は、特許法第２９条第１項第３号に該当するというものではないが、審判請求人は、審判請求書において、本願補正発明１、４と上記引用例１、２とを対比し、容易性のみならず、同一性についても検討していることは明らかである。
　
　よって、結論のとおり審決する。